(57)【特許請求の範囲】
【請求項１】
左右一対の柱材（２）と、前記一対の柱材（２）の下端部にそれぞれ設けられた横桟取付部（２ｆ）に装着された横桟（３）とで構成された同一形状の梯子部材（１）を複数個前後方向に重ね合わせて上下方向に摺動自在に構成された避難用梯子であって、
前記柱材（２）が、下端部に、前記横桟（３）をねじで螺着するためのねじ孔（２８）が穿設された横桟取付部（２ｆ）を形成してなる縦長板状の主柱部（２ａ）と、
前記主柱部（２ａ）の横桟取付部（２ｆ）より上方の内側辺（Ａ）に連接して前記主柱部（２ａ）から後方に突出し、かつ内側に傾斜して設けられ、前記縦長板状の主柱部（２ａ）の補強材となる縦長板状の側柱部（２ｂ）と、
前記主柱部（２ａ）の外側辺（Ｂ）に連接して設けられ、前後に重ね合わされる柱材（２）同士を摺動自在に係止する外側係止部（２ｃ）、及び前記側柱部（２ｂ）の内側辺（Ｃ）に連接して設けられ、前後に重ね合わされる柱材（２）同士を摺動自在に係止する内側係止部（２ｄ）とで構成されてなることを特徴とする避難用梯子。
【請求項２】
前記主柱部（２ａ）と側柱部（２ｂ）とが連接する前記主柱部（２ａ）の内側辺（Ａ）の上端部に、避難用梯子を延伸降下させたとき前方に重なり合う梯子部材（１）の横桟（３）の上面に当接して、後方に重なって降下する梯子部材（１）が脱落するのを防止する脱落防止部（２ｅ）を突設してなることを特徴とする請求項１に記載の避難用梯子。
【請求項３】
前記外側係止部（２ｃ）が、前記主柱部（２ａ）の外側辺（Ｂ）に沿って後方に向けて連接された断面Ｔ字状でその頭部を第１の摺動片（２１ａ）とする第１部材（２１）と、
前記主柱部（２ａ）の外側辺（Ｂ）に沿って前方に向けて連接された断面がクランク状でかつその先端部が内側に短く曲げられ、その内側の開口部が、後述の第３部材（２３）とともに前方に重なる梯子部材（１）の第１の摺動片（２１ａ）を嵌合させる第１の摺動溝（２１ｂ）を構成する第２部材（２２）と、
前記主柱部（２ａ）の外側端部近傍に前方に向けて突設された断面鈎型の第３部材（２３）と、
そして前記第２部材（２２）の端辺に連接して前方に向かって短く延伸された後、外側に向けて直角に折り曲げられた部分（２４ｃ）と、更にこの外側に向けて直角に折り曲げられた部分（２４ｃ）の端辺から前方に向けて直角に折り曲げられその先端が内側に鈎状に折り曲げられその鈎状部分が第２の摺動片（２４ａ）としてなる第４部材（２４）と、
前記外側に向けて直角に折り曲げられた部分（２４ｃ）の中央部に後方に向かって突設された、先端が外側に曲がった断面鈎状の第５部材（２５）とで構成され、
前記第５部材（２５）と前記外側に向けて直角に折り曲げられた部分（２４ｃ）とで後方に重なる梯子部材（１）の第２の摺動片（２４ａ）を嵌合させる第２の摺動溝（２４ｂ）が形成されてなり、
また、前記内側係止部（２ｄ）が、前記側柱部（２ｂ）の内側辺（Ｃ）に内側に向けて連接された断面ロの字形の外側面の一部が開放されて第３の摺動溝（２６ｂ）を形成する第６部材（２６）と、
前記側柱部（２ｂ）の端部近傍に内側に突出し、後方に重なり合う梯子部材（１）の前記第３の摺動溝（２６ｂ）に嵌合する第３の摺動片（２６ａ）となる断面鈎状の第７部材（２７）と
で形成されてなることを特徴とする請求項１又は２に記載の避難用梯子。
【請求項４】
前記柱材（２）の主柱部（２ａ）、側柱部（２ｂ）、外側係止部（２ｃ）、内側係止部２ｄ）が、アルミ製の押し出し型材で一体として成型され、その後、主柱部（２ａ）下端部の横桟取付部（２ｆ）、及び主柱部（２ａ）と側柱部（２ｂ）とが連接する前記主柱部（２ａ）の内側辺（Ａ）の上端部に設けられる脱落防止部（２ｅ）を切削加工により形成されてなることを特徴とする請求項１〜３のいずれか１項に記載の避難用梯子。
【請求項５】
前記柱材（２）の下端に装着される横桟（３）が、避難時に避難者の姿勢が後方に傾くことを考慮して、上面に連接して傾斜面が設けられ、その両面で足裏を支えるように、縦長の長方形の上部を後方に傾斜させた断面形状を有する長尺の筒状体であって、上面（３ａ）には滑り止めの溝（３１）が、傾斜面（３ｂ）には滑り止めの凸条（３２）が設けられてなり、そして筒状体の中空部内には下面から、前記主柱部の横桟取付部が挿入される挿入溝（３４）を形成する突起（３３）が設けられ、かつ、両端近傍の背面には挿入された前記主柱部(２ａ)の横桟取付部（２ｆ）に横桟を固定するねじを通すねじ挿通孔（３５）が設けられてなることを特徴とする請求項１〜４のいずれか１項に記載の避難用梯子。
【請求項６】
請求項１〜５に記載の避難用梯子が、避難用ハッチに装着して使用されるものであることを特徴とする避難用梯子。
【発明の詳細な説明】
【技術分野】
【０００１】
本発明は  オフィスビルやマンションのベランダに設けられた避難用ハッチに常時は短縮して収納され、火災や地震発生時等の緊急避難時に延伸して上階から下階への避難に使用するスライド伸縮式の避難用梯子に関するものである。
【背景技術】
【０００２】
オフィスビルやマンション等の建物には、火災や地震発生時等の緊急避難時に屋上やベランダのパラペットや窓枠等に懸架して、延伸・垂下して使用されるものや、ベランダ等に設置された避難用ハッチに常時収納され緊急避難時に垂下され上階から下階への避難路となるものとして、多様な構造の避難用梯子が考案され、使用されている。
例えば、特許第３７５７１３９号公報（特許文献１）には、
「横断面が同一の形状及び大きさに形成された複数枚の縦長板状の柱材（７）を前後方向へ重ね合わせて長手方向へ摺動自在とした伸縮式の左右の伸縮柱体（２）と、左右の伸縮柱体（２）間に長手方向に一定間隔毎に配設され、両端部が対向する左右の柱材（７）の一端部に夫々取り付けられた複数本の横桟（３）と、左右の伸縮柱体（２）の各柱材（７）を長手方向へ伸縮自在に連結すると共に、伸長状態になった伸縮柱体（２）の各柱材（７）が長手方向へ抜けるのを防止する連結機構（４）と、左右の伸縮柱体（２）の柱材（７）に後方へ突出する姿勢で取り付けられ、建物の壁面に当接し得る突子（５）とを具備した伸縮式の避難用梯子（１）に於いて、前記左右の伸縮柱体（２）の各柱材（７）は、横桟（３）の前面及び後面に平行で且つ横桟（３）の端部が取り付けられる縦長板状の取付け部（７ａ）と、取付け部（７ａ）の外側端に前方へ傾斜する姿勢で連設されて横桟（３）の端面に対向する縦長板状の外側耳部（７ｂ）と、取付け部（７ａ）の内側端に後方へ傾斜する姿勢で連設された内側耳部（７ｃ）と、外側耳部（７ｂ）及び内側耳部（７ｃ）の何れか一方又は両方に柱材（７）の長手方向に沿って形成された横断面が四角形で外側面が開放された係止溝（７ｆ）及び係止溝（７ｆ）を形成する一側の側壁の延長部分を横断面がコ字形に折り曲げした先端部から成る係止片（７ｇ）とを備えた一定長さの金属製の押出し型材により形成されており、各柱材（７）を前後方向へ重ね合わせて長手方向へ摺動自在としたときに、取付け部（７ａ）同士、外側耳部（７ｂ）同士及び内側耳部（７ｃ）同士が夫々密接状に重ね合わされて各柱材（７）の両側端が夫々同一平面上に位置すると共に、前後に隣接する一方の柱材（７）の係止溝（７ｆ）内に他方の柱材（７）の係止片（７ｇ）が摺動自在に嵌合されて重ね合わされた各柱材（７）が分離しないようにし、又、前記各横桟（３）は、その両端部が対向する左右の各柱材（７）の取付け部（７ａ）の前面にボルト（８）及び袋ナット（９）により夫々取り付けられ、更に、前記連結機構（４）は、各柱材（７）の取付け部（７ａ）の前面に柱材（７）の長手方向に沿って夫々形成され、横断面が略Ｔ字形で且つ両端が開放されたガイド溝（７ｄ）と、横桟（３）の両端部及び各柱材（７）の取付け部（７ａ）に前面側から挿通支持されたボルト（１２）により各柱材（７）の取付け部（７ａ）の後面に夫々取り付けられ、前後に隣接する後側の柱材（７）のガイド溝（７ｄ）に摺動自在に嵌合されてガイド溝（７ｄ）の開口縁部に係止される抜け止め体（１０）と、各柱材（７）のガイド溝（７ｄ）内にボルト（１４）により取り付けられ、伸縮柱体（２）の伸長時に抜け止め体（１０）がガイド溝（７ｄ）から抜けるのを阻止するストッパー（１１）とから構成され、そして、前記突子（５）は、その両端部がストッパー（１１）を柱材（７）へ取り付けるためのボルト（１４）により対向する左右の柱材（７）の取付け部（７ａ）の後面に固定されていることを特徴とする伸縮式の避難梯子。」が開示されている。
そして明細書の段落〔００３３〕〜〔００３４〕及び〔図１２〕、〔図１３〕には、壁面に当接する突子のない避難用梯子による避難用ハッチでの実施例も記載されている。
この特許文献１に開示された避難用梯子は、それ以前の避難用梯子に比べれば部品点数の削減、組立の簡略化がなされているものの、連結機構においては、その明細書の〔図１６〕に見られるように、まだ部品点数が多く、しかも、いずれもがボルトとナットにより取り付けられており、中でも断面Ｔ字形のガイド溝にストッパーを摺動可能に取り付ける工程では、ボルトの締め付け具合によってストッパーの摺動の滑らかさが変わるという作業上の問題がある。
また、この発明がオフィスやマンション、一般家屋等のベランダや外壁高所、屋上等に設置される避難用梯子を目的として行われたものであることから、避難者の足裏に当接する横桟の幅が２５ｍｍと設定されており、短縮時の形態がコンパクトになるよう、前記横桟の一部が上下に重なり合うようにして短縮される構成になされている。したがって、この避難用梯子を避難用ハッチに装着した場合にも、図１２に見られるように短縮された避難用梯子の１段１段は前方に少しずつずれた形で重なって収容されている。
【先行技術文献】
【特許文献】
【０００３】
【特許文献１】特許第３７５７１３９号公報
【発明の概要】
【発明が解決しようとする課題】
【０００４】
本発明は、上記背景技術に鑑みてなされたもので、避難用ハッチに装着して使用する梯子としての要件、すなわち、上階からすぐ下の階に避難するのに必要な長さと強度を備えていればよいこと、先端を支持して水平に収納保持するため軽量であること、操作並びに保守が容易であることを勘案し、部品点数を徹底的に削減しながらも安全に使用できる避難用梯子を提供することを課題とする。
【課題を解決するための手段】
【０００５】
本発明者は上記課題を下記の手段により解決した。
（１）左右一対の柱材と、前記一対の柱材の下端部にそれぞれ設けられた横桟取付部に装着された横桟とで構成された同一形状の梯子部材を複数個前後方向に重ね合わせて上下方向に摺動自在に構成された避難用梯子であって、
前記柱材が、下端部に、前記横桟をねじで螺着するためのねじ孔が穿設された横桟取付部を形成してなる縦長板状の主柱部と、
前記主柱部の横桟取付部より上方の内側辺に連接して前記主柱部から後方に突出し、かつ内側に傾斜して設けられ、前記縦長板状の主柱部の補強材となる縦長板状の側柱部（２ｂ）と、
前記主柱部の外側辺に連接して設けられ、前後に重ね合わされる柱材同士を摺動自在に係止する外側係止部、及び前記側柱部の内側辺に連接して設けられ、前後に重ね合わされる柱材同士を摺動自在に係止する内側係止部）とで構成されてなることを特徴とする避難用梯子。
【０００６】
（２）前記主柱部と側柱部とが連接する前記主柱部の内側辺の上端部に、避難用梯子を延伸降下させたとき前方に重なり合う梯子部材の横桟の上面に当接して、後方に重なって降下する梯子部材が脱落するのを防止する、脱落防止部を突設してなることを特徴とする前項（１）に記載の避難用梯子。
【０００７】
（３）前記外側係止部が、前記主柱部の外側辺に沿って後方に向けて連接された断面Ｔ字状でその頭部を第１の摺動片とする第１部材と、
前記主柱部の外側辺に沿って前方に向けて連接された断面がクランク状でかつその先端部が内側に短く曲げられ、その内側の開口部が、後述の第３部材とともに前方に重なる梯子部材の第１の摺動片を嵌合させる第１の摺動溝を構成する第２部材と、
前記主柱部の外側端部近傍に前方に向けて突設された断面鈎型の第３部材と、
そして前記第２部材の端辺に連接して前方に向かって短く延伸された後、外側に向けて直角に折り曲げられた部分と、更にこの外側に向けて直角に折り曲げられた部分の端辺から前方に向けて直角に折り曲げられその先端が内側に鈎状に折り曲げられその鈎状部分が第２の摺動片としてなる第４部材と、
前記外側に向けて直角に折り曲げられた部分の中央部に後方に向かって突設された、先端が外側に曲がった断面鈎状の第５部材とで構成され、
前記第５部材と前記外側に向けて直角に折り曲げられた部分とで後方に重なる梯子部材の第２の摺動片を嵌合させる第２の摺動溝が形成されてなり、
また、前記内側係止部が、前記側柱部の内側辺に内側に向けて連接された断面ロの字形の外側面の一部が開放されて第３の摺動溝を形成する第６部材と、
前記側柱部）の端部近傍に内側に突出し、後方に重なり合う梯子部材の前記第３の摺動溝に嵌合する第３の摺動片となる断面鈎状の第７部材と
で形成されてなることを特徴とする（１）又は（２）に記載の避難用梯子。
【０００８】
（４）前記柱材の主柱部、側柱部、外側係止部、内側係止部が、アルミ製の押し出し型材で一体として成型され、その後、主柱部下端部の横桟取付部、及び主柱部と側柱部とが連接する前記主柱部の内側辺の上端部に設けられる脱落防止部を切削加工により形成されてなることを特徴とする請求項１〜３のいずれか１項に記載の避難用梯子。
【０００９】
（５）前記柱材の下端に装着される横桟が、避難時に避難者の姿勢が後方に傾くことを考慮して、上面に連接して傾斜面が設けられ、その両面で足裏を支えるように、縦長の長方形の上部を後方に傾斜させた断面形状を有する長尺の筒状体であって、上面には滑り止めの溝が、傾斜面には滑り止めの凸条が設けられてなり、そして筒状体の中空部内には下面から、前記主柱部の横桟取付部が挿入される挿入溝を形成する突起（３３）が設けられ、かつ、両端近傍の背面には挿入された前記主柱部の横桟取付部に横桟を固定するねじを通すねじ挿通孔が設けられてなることを特徴とする（１）〜（４）のいずれか１項に記載の避難用梯子。
【００１０】
（６）前項（１）〜（５）に記載の避難用梯子が、避難用ハッチに装着して使用されるものであることを特徴とする避難用梯子。
【発明の効果】
【００１１】
本発明の避難梯子によって下記の効果が発揮される。
〈１〉左右一対の柱材と、前記一対の柱材の下端部にそれぞれ設けられた横桟取付部に装着された横桟とで構成された同一形状の梯子部材を複数個前後方向に重ね合わせて上下方向に摺動自在に構成された避難用梯子であって、
前記柱材が、下端部に、前記横桟をねじで螺着するためのねじ孔が穿設された横桟取付部を形成してなる縦長板状の主柱部と、
前記主柱部の横桟取付部より上方の内側辺に連接して前記主柱部から後方に突出し、かつ内側に傾斜して設けられ、前記縦長板状の主柱部の補強材となる縦長板状の側柱部と、
前記主柱部の外側辺に連接して設けられ、前後に重ね合わされる柱材同士を摺動自在に係止する外側係止部、及び前記側柱部の内側辺に連接して設けられ、前後に重ね合わされる柱材同士を摺動自在に係止する内側係止部とで構成されているので、
特許文献１に記載された発明における連結機構が複数の部品の組合せによって構成されているのに比べて特段に簡略化され、複雑な組立工程がなくなり、構造が簡易で量産に適し、均一な性能の避難用梯子が安価に製造できる。
【００１２】
〈２〉本発明の避難用梯子の柱材が、下端部に前記横桟取付部を形成してなる縦長板状の主柱部と、前記主柱部の横桟取付部より上方の内側辺に連接して、前記主柱部から後方に突出しかつ内側に傾斜して設けられ、前記縦長板状の主柱部の補強材となる縦長板状の側柱部と、前記主柱部の外側辺に連接して設けられ、前後に重ね合わされる柱材を摺動自在に係止する外側係止部、及び前記側柱部の内側辺に連接して設けられ、前後に重ね合わされる柱材を摺動自在に係止する内側係止部とが、アルミ製の押し出し型材で一体として成型されているので、量産に適し、軽量で剛性に富んだ避難用梯子が安価に製造できる。
【００１３】
〈３〉前記外側係止部が、前記主柱部の外側辺に沿って後方に向けて連接された断面Ｔ字状でその頭部を第１の摺動片とする第１部材と、
前記主柱部の外側辺に沿って前方に向けて連接された断面がクランク状でかつその先端部が内側に短く曲げられ、その内側の開口部が、後述の第３部材とともに前方に重なる梯子部材の第１の摺動片を嵌合させる第１の摺動溝を構成する第２部材と、
前記主柱部の外側端近傍に前方に向けて突設された断面鈎型の第３部材と、
そして前記第２部材の端辺に連接して前方に向かって短く延伸された後、外側に向けて直角に折り曲げられた部分と、更にこの外側に向けて直角に折り曲げられた部分から前方に向けて直角に折り曲げられその先端が内側に鈎状に折り曲げられその鈎状部分が第２の摺動片としてなる第４部材と、
前記外側に向けて直角に折り曲げたれた部分の中央部に後方に向かって突設された、先端が外側に曲がった断面鈎状の第５部材とで構成され、
前記第５部材と前記外側に向けて直角に折り曲げられた部分とで後方に重なる梯子部材の第２の摺動片を嵌合する第２の摺動溝が形成されてなり、
また、前記内側係止部が、前記側柱部の端辺に内側に向けて連接された断面ロの字形の外側面の一部が開放されて第３の摺動溝を形成する第６部材と、
前記側柱部の端部近傍に内側に突出し、後方に重なり合う梯子部材の前記第３の摺動溝に嵌合する第３の摺動片となる断面鈎状の第７部材と
で形成されているので、
３個所の摺動溝に３つの摺動片が嵌合して摺動するため、避難用梯子の延伸降下、及び巻き上げ収納が安全確実に実施でき、避難時における避難用梯子の安全性も確保できる。
【００１４】
〈４〉前記柱材の下端に装着される横桟が、避難時に避難者の姿勢が後方に傾くことを考慮して、上面に連接して傾斜面が設けられ、その両面で足裏を支えるように、縦長の長方形の上部を後方に傾斜させた断面形状を有する長尺の筒状体で構成されているので、前記横桟の上面幅を狭くすることができ、避難用梯子を短縮して避難用ハッチに収納した際、重なり合った複数の横桟の合計幅がハッチの高さ内に納まり、また避難用梯子の軽量化にも貢献できる。
そして上面の幅が狭められた横桟によって足裏に係る負担も、前記上面に連設して設けられた傾斜面によって緩和され、避難時において避難者の足裏に痛みを与えず、また上面のすべり止め溝、傾斜面のすべり止め凸条によっても、避難時の安全を確保できる。
【図面の簡単な説明】
【００１５】
【図１】本発明の避難用梯子を構成する梯子部材の正面図（ａ）と平面図（ｂ）
【図２】本発明の避難用梯子の柱体の斜視図
【図３】図２の柱体の断面図（ａ）及び各係止部の嵌合状態図（ｂ）
【図４】本発明の避難用梯子の横桟の斜視図
【図５】避難用梯子延伸垂下時の状態を示す正面図（一部省略）
【図６】本発明の実施例の避難用梯子の短縮状態を示す平面図
【図７】本避難用梯子の避難用ハッチへの適用実施例
【発明を実施するための形態】
【００１６】
本発明の避難用梯子を実施するための形態を、実施例の図に基づいて説明する。
図１は本発明の避難用梯子を構成する梯子部材の正面図（ａ）と平面図（ｂ）、図２は本発明の避難用梯子の柱体の斜視図、図３は図２の柱体の断面図、図４は本発明の避難用梯子の横桟の斜視図、図５は本発明の避難用梯子延伸垂下時の状態を示す正面図（一部省略）、図６は本発明の避難用梯子短縮時の状態を示す平面図であり、図７は本避難用梯子の避難用ハッチへの適用実施例を示す。
図において１は梯子部材、２は柱材、２ａは主柱部、２ｂは側柱部、２ｃは外側係止部、２ｄは内側係止部、２ｅは脱落防止部、２ｆは横桟取付部、２１は第１部材、２１ａは第１の摺動片、２１ｂは第１の摺動溝、２２は第２部材、２３は第３部材、２４は第４部材、２４ａは第２の摺動片、２４ｂは第２の摺動溝、２５は第５部材、２６は第６部材、２６ａは第３の摺動片、２６ｂは第３の摺動溝、２７は第７部材、２８はねじ孔、３は横桟、３ａは上面、３ｂは上向きの傾斜面、３１はすべり止めの溝、３２はすべり止めの凸条、３３は突起、３４は横桟取付部挿入溝、３５はねじ挿通孔、４は避難用ハッチへの取り付けアームを、そしてＡは主柱部の内側辺（主柱部と側柱部の連接部），Ｂは主柱部の外側辺（主柱部と外側係止部との連接部）、Ｃは側柱部の内側片（側柱部と内側係止部との連接部）を示す。
また、１０は避難用ハッチ筐体、１１は上蓋、１２は下蓋、１３は避難梯子取付具、１５は緩降・巻き上げ装置、１６はワイヤーを示す。
【００１７】
本発明の避難用梯子は、図１に示すように、左右一対の柱材２と、前記一対の柱材２の下端部にそれぞれ設けられた横桟取付部２ｆ（図２参照）に装着された横桟３とで構成された梯子部材１を複数個前後方向に重ね合わせて上下方向に摺動自在に構成されており（図６参照）、
そして前記柱材２は、図２の斜視図に示すように、その下端部に前記横桟取付部２ｆを形成してなる縦長板状の主柱部２ａと、
前記主柱部２ａの横桟取付部２ｆより上方の内側辺Ａに連接して、前記主柱部２ａから後方に突出しかつ内側に傾斜して設けられ、前記縦長板状の主柱部２ａの補強材となる縦長板状の側柱部２ｂと、
前記主柱部２ａの外側辺Ｂに連接して設けられ、前方に重ね合わされる柱材２を摺動自在に係止する外側係止部２ｃ、及び前記側柱部２ｂの内側辺に連接して設けられ、前方に重ね合わされる柱材２を摺動自在に係止する内側係止部２ｄとで構成されている。
また、前記主柱部２ａと側柱部２ｂとが連接する前記主柱部の内側辺Ａの上端部に、避難用梯子を延伸降下させたとき前方に重なり合う梯子部材の横桟の上面に当接して、後方に重なって降下する梯子部材が脱落するのを防止する脱落防止部２ｅが突設されている。
【００１８】
前記外側係止部２ｃは、図３（ａ）の柱材２の断面図に示すように、前記主柱部２ａの外側辺Ｂに沿って内側に向けて連接された、断面Ｔ字状でその頭部を第１の摺動片２１ａとする第１部材２１と、
前記主柱部２ａの外側辺Ｂに沿って外側に向けて連接された断面がクランク状でかつその先端部が後方に短く曲げられ、その内側の開口部が、後述の第３部材２３とともに後方に重なり合う梯子部材１の第１の摺動片２１ａを嵌合させる第１の摺動溝２１ｂを構成する第２部材２２と、
前記主柱部２ａの前端部近傍に外側に向けて突設された断面鈎型の第３部材２３と、
そして前記第２部材２２の端辺に連接して前方に向かって短く延伸された後、外側に向けて直角に折り曲げられ、更に前方に向けて直角に折り曲げられその先端が内側に鈎状に折り曲げられその鈎状部分が第２の摺動片２４ａとしてなる第４部材２４と、
前記第４部材２４の外側に向けて直角に折り曲げたれた部分２４ｃの内側面中央部に突設された、先端が外側に曲がった断面鈎状の第５部材２５とで構成され
前記第２部材２５と第４部材の外側に向けて直角に折り曲げられた部分２４ｃとで後方に重なる梯子部材１の第２摺動片２４ａを嵌合させる第２の摺動溝２４ｂが形成されてなり、
また、前記内側係止部２ｄは、前記側柱部２ｂの内側辺Ｃに連接された断面ロの字形の外側面の一部が開放されて第３の摺動溝２６ｂを形成する第６部材２６と、前記側柱部２ｂの端部近傍に内側に突出し、後方に重なり合う梯子部材１の前記第３の摺動溝２６ｂに嵌合する第３の摺動片２６ａとなる断面形状が鈎状の第７部材２７とで形成されている。
なお、前後に重なり合う梯子部材１の外側係止部２ｃ、及び内側係止部２ｄの各摺動片２１ａ，２４ａ、２６ａと各摺動溝２１ｂ、２４ｂ、２６ｂとの嵌合状態を、図３（ｂ）及び図６に示した。
【００１９】
前記柱材２の下端に装着される横桟３は、図４に示すように避難時に避難者の姿勢が後方に傾くことを考慮して、上面３ａに連接して傾斜面３ｂが設けられ、その両面３ａ、３ｂで避難者の足裏を支えるように、縦長の長方形の上部を後方に傾斜させた断面形状を有する長尺の筒状体であって、上面３ａには滑り止めの溝３１が、傾斜面３ｂには滑り止めの凸条３２が設けられている。
そして筒状体の中空部内には、下面から、前記主柱部２ａの横桟取付部２ｆが挿入される挿入溝３４を形成する突起３３が設けられ、かつ、その両端近傍の背面には前記挿入溝３４に挿入された前記主柱部２ａの横桟取付部２ｆに横桟３を固定するねじを通すねじ挿通孔３５が設けられ、柱材２と横桟３とが、前記ねじ挿通孔３５を介して挿通され、前記一対の柱材１の各横桟取付部２ｆにそれぞれ穿設されたねじ孔２８に螺着される２本のねじのみによって装着できる構成となっており、梯子部材１の組立は極めて容易となっている。
【００２０】
前記柱材２の主柱部２ａ、側柱部２ｂ、外側係止部２ｃ、内側係止部２ｄが、アルミ製の押し出し型材で一体として成型され、その後、主柱部２ａ下端部の横桟取付部２ｆと、及び主柱部２ａと側柱部２ｂとが連接する前記主柱部の内側辺Ａの上部に設けられた脱落防止部２ｅとが切削加工により形成され、また前記横桟３もアルミ製の押し出し型材で形成されており、前記柱材２と横桟３との取り付け構造と相まって、部品数が少なく製造が容易で軽量化された避難用梯子が形成されている。
【００２１】
本避難用梯子の避難用ハッチへの取り付けは、図５に示すように、最上段となる短尺の柱材２’の主柱部２ａ’に固着された一対の取り付けアーム４によって行われる。
また、前記避難用梯子の最下段には、延伸降下した前記避難用梯子を短縮して避難用ハッチ筐体１０内に収納するためのワイヤー１６の先端を取り付ける巻上げワイヤー取付梁材３ｃが、前記左右一対の柱材２，２の背面側の中央部を繋ぐように渡されている。
【００２２】
本発明の避難用梯子を避難用ハッチ１０に収納した状態の一実施例を図７に示す。本実施例は別途出願した「被難用ハッチへの避難用梯子取付・支持装置」を介して避難用ハッチ筐体１０に取り付けたものであるが、これに限られるものでなく、従来のように避難前記緩降・巻き上げ装置１５を直接に避難用ハッチ筐体１０に取り付け、また、避難用ハッチへの取付アーム４の先端を避難用ハッチ筐体１０に設けられた避難用梯子取付具１３に回動可能に軸着して延伸降下と巻き上げ収納ができるようにしてもよい。
本発明の避難用梯子を用いて避難する場合には、前記避難用ハッチの上蓋１１と底蓋１２（連動する）を開き、前記緩降・巻き上げ装置１５のロックを解除すると、避難用ハッチへの取り付けアーム４が避難用梯子の自重によってその回動軸を中心に下方に向けて回動し、それに伴って重なり合っていた前記複数の梯子部材１が自重によって延伸降下する。この際一挙に降下すると階下の避難者に危険なことから、前記緩降・巻き上げ装置１５の制動機構によってワイヤー１６の延伸速度が制御されるので、上方の梯子部材から順次延伸する。
延伸した梯子部材１は、前記柱材２の主柱部２ａと側柱部２ｂとが連接する前記主柱部の内側辺Ａの上端部に設けられた脱落防止部２ｅが、前方に重なる梯子部材１の横桟３の上面に当接して停止するので降下する柱部材１が下方に脱落することがなく、安全に延伸降下し、確実に避難できるようになる。
なお、図７に示した実施例では、避難用梯子の降下延伸に伴って緩降・巻き上げ装置１５が、上方に移動し避難用ハッチ筐体１０の外方にはみ出すので避難時の障害となることはない。
延伸降下した避難用梯子を巻き上げ短縮して避難用ハッチの筐体１０内に収納するには、前記緩降・巻き上げ装置１５にハンドルを取り付けて巻き上げる。従来構造の避難用梯子は、巻き上げによって短縮した後、短縮した梯子の下端部を持ち上げて避難用ハッチ筐体１０にロープやフックなどのロック機構によって係止するか、底蓋１２を閉じることによって押し込むかが必要であるが、図７の実施例では、ワイヤー１６の巻き上げによって、前記緩降・巻き上げ装置１５が、避難用ハッチ筐体１０内に降下するとともに避難用梯子の避難用ハッチへの取付アーム４がその回動軸を中心に上方に回動するので、避難用梯子の下端も上方に移動し、ワイヤー１６を巻き上げるという一つの操作のみで避難用梯子の収納を行うことができる。
【符号の説明】
【００２３】
１：梯子部材
２、２’：柱材
２ａ：主柱部
２ｂ：側柱部
２ｃ：外側係止部
２ｄ：内側係止部
２ｅ：脱落防止部
２ｆ：横桟取付部
２１：第１部材
２１ａ：第１の摺動片
２１ｂ：第１の摺動溝
２２：第２部材
２３：第３部材
２４：第４部材
２４ａ：第２の摺動片
２４ｂ：第２の摺動溝
２５：第５部材
２６：第６部材
２６ａ：第３の摺動片
２６ｂ：第３の摺動溝
２７：第７部材
２８：ねじ孔
３：横桟
３ａ：上面
３ｂ：上向きの傾斜面
３ｃ：ワイヤー取付梁材
３１：すべり止めの溝
３２：すべり止めの凸条
３３：突起
３４：横桟取付部挿入溝
３５：ねじ挿通孔
４：避難用ハッチへの取付アーム
１０：避難用ハッチ筐体
１１：上蓋
１２：下蓋
１３：避難梯子取付具
１５：緩降・巻き上げ装置
１６：ワイヤー
Ａ：主柱部の内側辺（主柱部と側柱部の連接部）
Ｂ：主柱部の外側辺（主柱部と外側係止部との連接部）
Ｃ：側柱部の内側辺（側柱部と内側係止部との連接部）
【図１】
0005766583.tif 000002
【図２】
0005766583.tif 000003
【図３】
0005766583.tif 000004
【図４】
0005766583.tif 000005
【図５】
0005766583.tif 000006
【図６】
0005766583.tif 000007
【図７】
0005766583.tif 000008